(57)【要約】【課題】床上の収納空間でありながら床下空間も収納スペースとして有効利用するとともに、床下の空気を利用して収納空間を換気する。【解決手段】収納空間３の床面レベルを床下空間８の土間レベルまで下げるとともに、収納空間３と隣接する床下空間９とを土間レベルで連通する換気口１１を設ける。そして、収納空間３と隣接する隣接空間１との間の仕切６に換気口７を設ける。また、収納空間３と隣接する床下空間９との間の仕切１０に床下点検口１１を設ける。さらに、収納空間３と隣接する床下空間９との間の仕切１０に換気装置１２を設ける。なお、収納空間３内には、隣接する隣接空間１の床面４と連続する床材８が設けられている。【選択図】図２
2008190280.tif 000002
【特許請求の範囲】
【請求項１】
収納空間の床面レベルを床下空間の土間レベルまで下げるとともに、
前記収納空間と隣接する床下空間とを土間レベルで連通する換気口を設けたことを特徴とする収納空間構造。
【請求項２】
前記収納空間と隣接する隣接空間との間の仕切に換気口を設けたことを特徴とする請求項１に記載の収納空間構造。
【請求項３】
前記収納空間と隣接する床下空間との間の仕切に床下点検口を設けたことを特徴とする請求項１または２に記載の収納空間構造。
【請求項４】
前記収納空間と隣接する床下空間との間の仕切に換気装置を設けたことを特徴とする請求項１から３のいずれか一項に記載の収納空間構造。
【請求項５】
前記収納空間内には、隣接する隣接空間の床面と連続する床材が設けられていることを特徴とする請求項１から４のいずれか一項に記載の収納空間構造。
【請求項６】
前記床材の前記収納空間内への突出端下に前記換気口が設けられていることを特徴とする請求項５に記載の収納空間構造。
【発明の詳細な説明】
【技術分野】
【０００１】
本発明は、床上の収納空間の構造に関する。
【背景技術】
【０００２】
床上収納空間において、その床上収納空間内の床面に排気孔を設けて、床面よりも下方位置に排気ファンを設けたものがある（特許文献１参照）。
また、リビングにおいて、そのリビングの床全体を床上げして床下全体に物品収納室を形成し、床面に出入口を設けたものがある（特許文献２参照）。
【特許文献１】実開平５−４７７３６号公報
【特許文献２】実用新案登録第３１１０７０７号公報
【発明の開示】
【発明が解決しようとする課題】
【０００３】
しかし、従来の収納空間は床材により収納スペースが制限されていた。
【０００４】
本発明の課題は、床上の収納空間でありながら床下空間も収納スペースとして有効利用するとともに、床下の空気を利用して収納空間を換気することである。
【課題を解決するための手段】
【０００５】
以上の課題を解決するため、請求項１に記載の発明は、例えば図１、図２に示すように、収納空間３の床面レベルを床下空間９の土間レベルまで下げるとともに、前記収納空間３と隣接する床下空間９とを土間レベルで連通する換気口１１を設けた収納空間構造を特徴とする。
【０００６】
請求項１に記載の発明によれば、収納空間３の床面レベルを床下空間９の土間レベルまで下げたので、床上の収納空間３でありながら床下空間９の土間レベルまでも収納スペースとして有効利用できる。そして、その収納空間３と隣接する床下空間９とを土間レベルで連通する換気口１１を設けたので、外から床下空間９に流れ込む空気を換気口１１より収納空間３に導いて、収納空間３の換気を効果的に行える。
【０００７】
請求項２に記載の発明は、請求項１に記載の収納空間構造であって、例えば図２に示すように、前記収納空間３と隣接する隣接空間１との間の仕切６に換気口７を設けたことを特徴とする。
【０００８】
なお、仕切としては、間仕切壁、開閉扉または建具が挙げられる。
また、換気口としては、間仕切壁または建具に形成される開口、開閉扉を開けること、または建具を退かすことにより形成される開口が挙げられる。
【０００９】
請求項２に記載の発明によれば、収納空間３と隣接空間１との仕切６に設けた換気口７により、収納空間３と隣接空間１との間で換気できる。そして、外から収納空間に流れ込む空気とともに、床下空間９の空気が収納空間３を経て隣接空間１へと導かれることで、隣接空間３の換気も効果的に行える。
【００１０】
請求項３に記載の発明は、請求項１または２に記載の収納空間構造であって、例えば図２に示すように、前記収納空間３と隣接する床下空間９との間の仕切１０に床下点検口１１を設けたことを特徴とする。
【００１１】
なお、仕切としては、間仕切壁、開閉扉が挙げられる。
また、点検口としては、間仕切壁に形成される開口、または開閉扉を開けることにより形成される開口が挙げられる。
【００１２】
請求項３に記載の発明によれば、収納空間３と隣接する床下空間９との仕切１０に設けた床下点検口１１により、収納空間３内において、床下空間９を横から点検できる。
【００１３】
請求項４に記載の発明は、請求項１から３のいずれか一項に記載の収納空間構造であって、例えば図２、図３に示すように、前記収納空間３と隣接する床下空間９との間の仕切１０に換気装置１２を設けたことを特徴とする。
【００１４】
なお、仕切としては、間仕切壁、開閉扉が挙げられる。
また、換気装置としては、間仕切壁に形成される開口やその手前または奥に設けるファンや、開閉扉の手前または奥に配置されるファンが挙げられる。そのファンは正転・逆転可能なものが望ましい。
【００１５】
請求項４に記載の発明によれば、収納空間３と隣接する床下空間９との仕切１０に設けた換気装置１２により、収納空間３と隣接する床下空間９との間で積極的に強制換気できる。
【００１６】
請求項５に記載の発明は、請求項１から４のいずれか一項に記載の収納空間構造であって、例えば図１、図２、図３に示すように、前記収納空間３内には、隣接する隣接空間１の床面４と連続する床材８が設けられていることを特徴とする。
【００１７】
請求項５に記載の発明によれば、収納空間３内には、隣接空間１の床面４と連続する床材８が設けられているので、収納空間３の奥まで換気できる。
【００１８】
請求項６に記載の発明は、請求項５に記載の収納空間構造であって、例えば図３に示すように、前記床材８の前記収納空間３内への突出端下に前記換気口１１が設けられていることを特徴とする。
【００１９】
請求項６に記載の発明によれば、収納空間３と隣接空間１との間の仕切６に設けた換気口７の位置から、収納空間３と床下空間９とを土間レベルで連通する換気口１１までの位置が、床材８の収納空間３内への突出長さだけずれているので、その床材８上に収納部を設けることができ、その収納部に置かれた物の通気を良好に維持できる。
【発明の効果】
【００２０】
本発明によれば、床上の収納空間でありながら床下空間の土間レベルまでも収納スペースとして有効利用できる。そして、外から床下空間に流れ込む空気を換気口より収納空間に導いて、収納空間の換気を効果的に行うことができる。
【発明を実施するための最良の形態】
【００２１】
以下、図を参照して本発明を実施するための最良の形態を詳細に説明する。
〔第１実施形態〕
図１及び図２は本発明を適用した第１実施形態の構成を示すもので、図示例では、２階建て住宅の１階において、吹抜け居室空間１に隣接して床面が高い居室空間２及びその床下の収納空間３が設けられている。
【００２２】
収納空間３は、吹抜け居室空間１の床材４からの高さが１，２００ｍｍ以下のもので、図示のように、吹抜け居室空間１に隣接する居室空間２の床材５の下方に形成されている。
また、収納空間３と隣接空間である吹抜け居室空間１との仕切としては、例えば開閉扉６が設けられている。従って、開閉扉６を開けると、収納空間３と吹抜け居室空間１との間の換気口７が形成される。
【００２３】
そして、収納空間３の床面レベルは、図示のように、吹抜け居室空間１の床面４と連続して収納空間３内に位置する床材８が部分的に設けられているが、この床材８より奥方の大部分は床下空間９の土間レベルまで下げられている。
また、収納空間３と隣接する床下空間９との仕切としては、例えば開閉扉１０が設けられている。開閉扉１０は、収納空間３内に位置する床材８の先端部下に沿って配置されており、この開閉扉１０を開けると、換気口１１が形成される。この換気口１１は、収納空間３からの床下点検口を兼ねる。
さらに、床下空間９内には、開閉扉１０の内側に位置する換気装置、図示例では正転・逆転可能な電動式ファン１２が設置されている。
【００２４】
以上の収納空間構造によれば、収納空間３の床面レベルが、床材８より奥方の大部分において床下空間９の土間レベルまで下げられているため、床上の収納空間３でありながら床下空間９の土間レベルまでも収納スペースとして有効利用できるものとなる。
しかも、その収納空間３と床下空間９との仕切をなす開閉扉１０を開けることで、収納空間３と隣接する床下空間９とを土間レベルで連通する換気口１１が形成されるため、図２に矢印Ａで示したように、外から図略の床下換気口より床下空間９に流れ込む空気を換気口１１より収納空間３に導いて、収納空間３の換気を効果的に行うことができるものとなる。
【００２５】
そして、収納空間３と吹抜け居室空間１との仕切をなす開閉扉６を開ければ、換気口７が形成されるため、収納空間３と吹抜け居室空間１との間で換気できるものとなる。特に、図２に矢印Ｂで示したように、外から図略の収納換気口や小窓より収納空間３に流れ込む空気とともに、床下空間９の空気が収納空間３を経て吹抜け居室空間１へと導かれるため、吹抜け居室空間３の換気も効果的に行うことができるものとなる。
【００２６】
従って、図２に矢印Ａ及び矢印Ｂで示したように、床下空間９の空気を収納空間３に通して吹抜け居室空間１まで導いた換気通路を形成できるものとなる。
また、収納空間３と床下空間９との間の換気口１１は床下点検口を兼ねるため、収納空間３内において、床下空間９を横から点検できる。
【００２７】
さらに、図２に矢印Ｃで示したように、外から図略の窓より床面が高い居室空間２に流れ込んだ空気を吹抜け居室空間１に導いてから図略の窓より外に排出する換気通路を形成できるものとなる。
以上により家の１階全体に、図２に矢印Ａ、矢印Ｂ及び矢印Ｃで示したように空気の流れを作ることができ、従って、収納空間３のみならず、１階全体の換気を効率的に行なうことができるものとなる。
なお、矢印Ｃは逆方向でも良い。
【００２８】
しかも、電動式ファン１２を運転すれば、床下空間９から収納空間３を介して吹抜け居室空間１まで積極的に強制換気できるものとなる。
また、電動式ファン１２を適宜に正転・逆転すれば、例えば夏と冬では送風方向を逆にして季節に応じた適切な強制換気が行えるものとなる。
【００２９】
〔第２実施形態〕
図３は本発明を適用した第２実施形態の構成を示すもので、図示のように、収納空間３の床材８を奥方近傍まで長く設けたものである。なお、その他の構成は前記第１実施形態と同様につき同一部材には同一符号を付して説明を省略する。
【００３０】
この収納空間構造によれば、前述した第１実施形態と同様の作用効果に加え、図３に太い矢印で示したように、床下空間９の空気を収納空間３の奥方まで通してから吹抜け居室空間１に導く換気通路を形成できるものとなる。すなわち、第１実施形態との比較において、収納空間３の奥方まで十分に換気できるものとなる。
【００３１】
しかも、図示のように、収納空間３と隣接空間１との間の仕切６に設けた換気口７の位置から、収納空間３と床下空間９とを土間レベルで連通する換気口１１までの位置が、床材８の収納空間３内への突出長さだけずれているので、その床材８上に収納部を設けることができ、その収納部に置かれた物の通気を良好に維持できる。
【００３２】
なお、以上の実施形態においては、床材からの高さ１，２００ｍｍ以下の収納空間としたが、本発明はこれに限定されるものではなく、それより高い収納空間であっても良い。
また、実施形態では、開閉扉による仕切としたが、間仕切壁や建具による仕切でも良い。その場合、換気口は、間仕切壁や建具に形成される開口、または建具を退かすことにより形成される開口でも良い。点検口も、間仕切壁に形成される開口であっても良い。換気口と点検口は個別に設けても良い。
さらに、収納空間内の床材の長さ等も任意であり、その他、具体的な細部構造等についても適宜に変更可能であることは勿論である。
【図面の簡単な説明】
【００３３】
【図１】本発明を適用した第１実施形態の構成を示す側面図である。
【図２】図１の要部拡大図である。
【図３】本発明を適用した第２実施形態の構成を示すもので、図２と同様の要部拡大図である。
【符号の説明】
【００３４】
１  隣接空間
３  収納空間
４  床材
６  仕切
７  換気口
８  床材
９  床下空間
１０  仕切
１１  換気口（床下点検口）
１２  換気装置
【図１】
2008190280.tif 000003
【図２】
2008190280.tif 000004
【図３】
2008190280.tif 000005